(57)【特許請求の範囲】
【請求項１】
庫本体の正面開口部における左右の各側縁部に基端部を前後方向へ回動可能に組付けた左右一対の開閉扉を備え、これら各開閉扉の裏面側にて同開閉扉の上端部、基端部および下端部間にコ字状に延在して固着された第１のドアパッキンと、前記各開閉扉の裏面側にて同開閉扉の回動端部に上下方向に固着した支持部材に取付けた第２のドアパッキンを設けて、前記両開閉扉の閉鎖時に前記第１のドアパッキンが前記庫本体の正面開口部における上縁部、側縁部及び下縁部の各前端面に当接するとともに前記第２のドアパッキンが互いに当接して前記庫本体の正面開口部が気密的に閉鎖される観音開き式貯蔵庫において、
前記第１のドアパッキンの上下の各先端部と前記第２のドアパッキンの上下の各先端部をそれぞれ互いに連結する連結部材を前記支持部材の上端部と下端部に組付けて、これら連結部材の前記庫本体の正面開口部の上縁部と下縁部の前端面にそれぞれ対向する部位にマグネットを設け、同連結部材を前記第１のドアパッキンの上下の先端部に水平方向に角度を付けて接合して、同連結部材の先端側が前記庫本体の正面開口部の上縁部と下縁部の前端面に漸次指向していることを特徴とする観音開き式貯蔵庫。
【請求項２】
庫本体の正面開口部における左右の各側縁部に基端部を前後方向へ回動可能に組付けた左右一対の開閉扉を備え、これら各開閉扉の裏面側にて同開閉扉の上端部、基端部および下端部間にコ字状に延在して固着された第１のドアパッキンと、前記各開閉扉の裏面側にて同開閉扉の回動端部に上下方向に固着した支持部材に取付けた第２のドアパッキンを設けて、前記両開閉扉の閉鎖時に前記第１のドアパッキンが前記庫本体の正面開口部における上縁部、側縁部及び下縁部の各前端面に当接するとともに前記第２のドアパッキンが互いに当接して前記庫本体の正面開口部が気密的に閉鎖される観音開き式貯蔵庫において、
前記第１のドアパッキンの上下の各先端部と前記第２のドアパッキンの上下の各先端部をそれぞれ互いに連結する連結部材を前記支持部材の上端部と下端部に組付けて、これら連結部材の前記庫本体の正面開口部の上縁部と下縁部の前端面にそれぞれ対向する部位にマグネットを設け、同連結部材がその先端側に延びて前記第２のドアパッキンの前記庫本体側の側部と同第２のドアパッキンの上端面と下端面をそれぞれ覆蓋するカバー部を有していることを特徴とする観音開き式貯蔵庫。
【請求項３】
請求項１又は２に記載の観音開き式貯蔵庫において、前記連結部材が、前記第１のドアパッキンの先端に固着される接合面を有するとともに、前記第２の先端部の側端部が嵌着する凹所を有し、前記第１のドアパッキンの先端に前記接合面にて固着されていて、前記凹所に前記第２のドアパッキンの側端部を嵌着した状態で前記両ドアパッキンを連結していることを特徴とする観音開き式貯蔵庫。
【発明の詳細な説明】
【０００１】
【発明の属する技術分野】
本発明は、観音開き式の冷蔵庫、冷凍庫、温蔵庫等、観音開き式貯蔵庫に関する。
【０００２】
【従来の技術】
観音開き式貯蔵庫は、その一例である観音開き式冷蔵庫にみられるように、庫本体の正面開口部における左右の各側縁部に基端部を前後方向へ回動可能に組付けた左右一対の開閉扉を備える形式のものである。当該形式の貯蔵庫においては、各開閉扉の裏面側に、同開閉扉に直接取付けられて同開閉扉の上端部、基端部および下端部間にてコ字状に延びる第１のドアパッキンと、同開閉扉の裏面側に組付けた支持部材に支持されて同開閉扉の回動端部に沿って上下に延びる第２のドアパッキンを備えていて、これら両開閉扉の閉鎖時、第１のドアパッキンが前記庫本体の正面開口部における上縁部、側縁部および下縁部の各側面に当接するとともに第２のドアパッキンが互いに当接して、前記庫本体の正面開口部を気密的に閉鎖するように構成されている。
【０００３】
しかして、当該形式の観音開き式貯蔵庫においては、第１のドアパッキンの上下の各先端部と第２のドアパッキンの上下の各先端部とを互いに連結して、両ドアパッキンのこれらの先端部間からの庫本体の内気の外部への漏洩、外気の庫本体内への侵入を確実に防止する必要がある。このため、両ドアパッキンの先端部を連結部材を介して連結することが好ましい。本出願人は、当該形式の観音開き式貯蔵庫において、第１のドアパッキンの上下の各先端部と第２のドアパッキンの上下の各先端部とを連結部材を介して互いに連結した観音開き式貯蔵庫を、特開２００１−１９４０５０号公報にて提案している。
【０００４】
【発明が解決しようとする課題】
ところで、本発明者等は、当該形式の観音開き式貯蔵庫において、第１のドアパッキンの上下の各先端部と第２のドアパッキンの上下の各先端部とを連結部材を介して互いに連結した場合に、両ドアパッキンのこれらの先端部間からの庫本体の内気の外部への漏洩、外気の庫本体内への侵入を確実に防止することについて検討した結果、連結部材と庫本体の正面開口部における上下各側縁部との間、および、連結部材と両ドアパッキンとの間では、下記の問題点に注意する必要があることを知得した。
【０００５】
すなわち、知得した問題点の第１は、連結部材は開閉扉が閉鎖している状態では、庫本体の正面開口部における上縁部の側面または下縁部の側面に密着していることが必要であるが、開閉扉の庫本体に対する組付け状態によっては、連結部材と庫本体の上下各縁部の側面間に隙間が生じることである。また、知得した問題点の第２は、第１のドアパッキンと第２のドアパッキンを、第１のドアパッキンに固着した連結部材を介して互いに連結した場合、左右の第２のドアパッキン同士が機密的に当接し得る先端部が庫本体の内側に露出し、当該露出部位が結露して、または氷結して、両ドアパッキン間に隙間が発生するおそれがあることである。
【０００６】
従って、本発明の目的は、これらの問題を解消して、両ドアパッキンの先端部と庫本体間での気密性の保持を一層確実にして、庫本体内からの内気の外部への漏洩、外気の庫本体内への侵入を防止することにある。
【０００７】
【課題を解決するための手段】
本発明は、観音開き式の冷蔵庫、冷凍庫、温蔵庫等、観音開き式貯蔵庫に関するものであり、下記に示す形式の観音開き式貯蔵庫を適用対象とするものである。
【０００８】
すなわち、本発明が適用対象とする観音開き式貯蔵庫は、庫本体の正面開口部における左右の各側縁部に基端部を前後方向へ回動可能に組付けた左右一対の開閉扉を備え、これら各開閉扉の裏面側にて同開閉扉の上端部、基端部および下端部間にコ字状に延在して固着された第１のドアパッキンと、前記各開閉扉の裏面側にて同開閉扉の回動端部に上下方向に固着した支持部材に取付けた第２のドアパッキングを設けて、前記両開閉扉の閉鎖時に前記第１のドアパッキンが前記庫本体の正面開口部における上縁部、側縁部及び下縁部の各前端面に当接するとともに前記第２のドアパッキンが互いに当接して前記庫本体の正面開口部が気密的に閉鎖される観音開き式貯蔵庫である。
【０００９】
しかして、本発明の観音開き式貯蔵庫は、前記第１のドアパッキンの上下の各先端部と前記第２のドアパッキンの上下の各先端部をそれぞれ互いに連結する連結部材を前記支持部材の上端部と下端部に組付けて、これら連結部材の前記庫本体の正面開口部の上縁部と下縁部の前端面にそれぞれ対向する部位にマグネットを設け、同連結部材を前記第１のドアパッキンの上下の先端部に水平方向に角度を付けて接合して、同連結部材の先端側が前記庫本体の正面開口部の上縁部と下縁部の前端面に漸次指向していることを特徴とするものである。 また、本発明による観音開き式貯蔵庫の他の特徴は、前記第１のドアパッキンの上下の各先端部と前記第２のドアパッキンの上下の各先端部をそれぞれ互いに連結する連結部材を前記支持部材の上端部と下端部に組付けて、これら連結部材の前記庫本体の正面開口部の上縁部と下縁部の前端面にそれぞれ対向する部位にマグネットを設け、同連結部材がその先端側に延びて前記第２のドアパッキンの前記庫本体側の側部と同第２のドアパッキンの上端面と下端面をそれぞれ覆蓋するカバー部を有していることにある。さらに、本発明による観音開き式貯蔵庫の他の特徴は、前記連結部材が、前記第１のドアパッキンの先端に固着される接合面を有するとともに、前記第２の先端部の側端部が嵌着する凹所を有し、前記第１のドアパッキンの先端に前記接合面にて固着されていて、前記凹所に前記第２のドアパッキンの側端部を嵌着した状態で前記両ドアパッキンを連結していることにある。
【００１１】
【発明の作用・効果】
本発明の観音開き式貯蔵庫において、前記第１のドアパッキンの上下の各先端部と前記第２のドアパッキンの上下の各先端部をそれぞれ互いに連結する連結部材を前記支持部材の上端部と下端部に組付けて、これら連結部材の前記庫本体の正面開口部の上縁部と下縁部の前端面にそれぞれ対向する部位にマグネットを設け、同連結部材を前記第１のドアパッキンの上下の先端部に水平方向に角度を付けて接合して、同連結部材の先端側が前記庫本体の正面開口部の上縁部と下縁部の前端面に漸次指向しているようにした場合には、開閉扉を閉鎖したとき、前記連結部材を、マグネットの作用にて庫本体の正面開口部の上縁部と下端部の前端面に漸次当接させて密着させることができ、延いては、両ドアパッキンを庫本体の正面開口部の上縁部と下縁部の前端面に密着させることができる。これにより、両ドアパッキンの先端部と庫本体間での気密性を保持して、庫本体からの内気の外部への漏洩、外気の庫本体内への侵入を防止することができる。
【００１５】
本発明の観音開き式貯蔵庫において、前記第１のドアパッキンの上下の各先端部と前記第２のドアパッキンの上下の各先端部をそれぞれ互いに連結する連結部材を前記支持部材の上端部と下端部に組付けて、これら連結部材の前記庫本体の正面開口部の上縁部と下縁部の前端面にそれぞれ対向する部位にマグネットを設け、同連結部材がその先端側に延びて前記第２のドアパッキンの前記庫本体側の側部と同第２のドアパッキンの上端面と下端面をそれぞれ覆蓋するカバー部を設けた場合には、第２のドアパッキンの先端部における庫本体の内側に露出する部位がカバー部によって覆蓋されて、当該露出部位での結露、氷結等が防止される。これにより、両ドアパッキン間での隙間の発生を防止して、庫本体内からの内気の外部への漏洩、外気の庫本体内への侵入を防止することができる。
【００１６】
【発明の実施の形態】
以下、本発明を図面に基づいて説明する。図１は、本発明に係る観音開き式貯蔵庫の一例である観音開き式冷蔵庫を示している。当該冷蔵庫は、上下２段の正面開口部１１，１２を有する庫本体１０と、庫本体１０の上側の正面開口部１１を開閉する左右一対の上側の開閉扉２０ａ，２０ｂと、庫本体１０の下側の正面開口部１２を開閉する左右一対の下側の開閉扉２０ｃ，２０ｄを備えている。各開閉扉２０ａ〜２０ｄは、その基端部を、庫本体１０の正面開口部１１，１２の左右の各側縁部にそれぞれ前後方向へ回動可能に組付けられているもので、これらの４枚の開閉扉２０ａ〜２０ｄの開閉操作により、庫本体１０の両正面開口部１１，１２の一部または全部が選択的に開放され、かつ閉鎖される。
【００１７】
これらの４枚の開閉扉２０ａ〜２０ｄにおいては、左右または上下対象に形成されている点を除き、実質的に同一の構造に構成されている。従って、以下では、開閉扉２０ａ〜２０ｄの構成上の説明については開閉扉２０として説明し、各開閉扉２０ａ〜２０ｄの相互関係についての説明においては、各開閉扉２０ａ〜２０ｄを区別して説明する。
【００１８】
開閉扉２０は、図１〜図３に示すように、扉本体２１、第１ドアパッキン２２、第２ドアパッキン２３、放熱板２４、支持部材２５、およびヒータ２６ａにて構成されている。庫本体２１は、合成樹脂製のインナパネル２１ａと、金属製のアウタパネル２１ｂと、これら両パネル２１ａ，２１ｂ間の空間部に充填された断熱材２１ｃからなるもので、扉本体２１の裏面における周縁部に第１ドアパッキン２２が直接組付けられているとともに、扉本体２１の裏面における回動端部側に第２ドアパッキン２３が支持部材２５を介して組付けられている。開閉扉２０における第１ドアパッキン２２および第２ドアパッキン２３は、本発明における第１のドアパッキンおよび第２のドアパッキンに該当する。
【００１９】
第１ドアパッキン２２は、合成樹脂製で可撓性の筒状本体にマグネットを内蔵しているもので、扉本体２１の上端部、基端部および下端部間にてコ字状に延びている。第１ドアパッキン２２においては、その上端部の先端が扉本体２１の回動端部の上端部に臨み、かつ、その下端部の先端が扉本体２１の回動端部の下端部に臨んでいる。第２ドアパッキン２３は、支持部材２５を介して組付けられた状態においては、扉本体２１の回動端部に沿って、回動端部の外側端面から外側へわずかに突き出た状態で上下方向に延びている。第２ドアパッキン２３においては、その上端部の先端が扉本体２１の回動端部の上端部に臨み、かつ、その下端部の先端が扉本体２１の回動端部の下端部に臨んでいる。
【００２０】
かかる構成の開閉扉２０においては、その閉鎖時には、第１ドアパッキン２２は庫本体１０の正面開口部の周縁部の側面に当接する。上側の両開閉扉２０ａ，２０ｂの閉鎖時には、両開閉扉２０ａ，２０ｂの第１ドアパッキン２２が上側の正面開口部１１の周縁部の側面に当接するとともに、両第２ドアパッキン２３が対向面にて互いに密着し、両開閉扉２０ａ，２０ｂ間が密閉されて庫本体１０の上側の正面開口部１１が気密的に閉鎖される。これにより、庫本体１０の上側の収納室が気密的に閉鎖される。同様に、下側の両開閉扉２０ｃ，２０ｄの閉鎖時には、両開閉扉２０ｃ，２０ｄの第１ドアパッキン２２が下側の正面開口部１２の周縁部の側面に当接するとともに、両第２ドアパッキン２３が対向面にて互いに密着し、両開閉扉２０ｃ，２０ｄ間が密閉されて、庫本体１０の下側の正面開口部１２が気密的に閉鎖される。これにより、庫本体１０の下側の収納室が気密的に閉鎖される。
【００２１】
しかして、第２ドアパッキン２３は、図３〜図６に示すように、筒状本体２３ａと、柱状の脚部２３ｂと、これらを連結する連結部２３ｃと、筒状本体２３ａに埋設されているマグネット２３ｄとからなるもので、筒状本体２３ａおよび連結部２３ｃは軟質の合成樹脂にて形成され、かつ、脚部２３ｂは硬質の合成樹脂にて形成されている。筒状本体２３ａ、柱状の脚部２３ｂ、および連結部２３ｃは、押し出し成形により一体的に成形されている。筒状本体２３ａは弾性で可撓性の筒状に形成され、かつ、脚部２３ｃは剛性の柱状に形成されているもので、筒状本体２３ａはそれ自体または連結部２３ｃを介して左右に伸縮可能であるとともに、前後方向へ揺動可能である。第２ドアパッキン２３は、支持部材２５に支持されて開閉扉２０の扉本体２１の裏面側に組付けられる。
【００２２】
支持部材２５は合成樹脂製のもので、所定幅で所定長さの平板部２５ａと、平板部２５ａの先端部に設けたパッキン支持部２５ｂと、平板部２５ａの中央部に設けた取付凹部２５ｃとからなり、取付凹部２５ｃは蓋体２５ｄにて覆蓋されるように形成されている。支持部材２５は、取付凹部２５ｃにて放熱板２４を介在させた状態でネジ２５ｅにより固定されて、開閉扉２０の扉本体２１の裏面側に取付けられている。パッキン支持部２５ｂは、その全長に延びる挿入溝２５ｂ1およびカバー部２５ｂ2を備えている。第２ドアパッキン２３においては、その脚部２３ｂを支持部材２５におけるパッキン支持部２５ｂの挿入溝２５ｂ1に挿入された状態で支持部材２５に支持されているとともに、その筒状本体２３ａがパッキン支持部２５ｂのカバー部２５ｂ2にて背部側から覆蓋されている。
【００２３】
第２ドアパッキン２３のこの支持状態では、図６に示すように、第２ドアパッキン２３の上側の先端部が支持部材２５から所定量上方へ突出している。第２ドアパッキン２３の下側の先端部も同様に、支持部材２５から所定量下方へ突出している。第２ドアパッキン２３の先端部は、連結部材２７を介して第１ドアパッキン２２の先端部に連結されている。
【００２４】
連結部材２７は合成樹脂製の可撓性のものであって、図６〜図８に示すように側面逆Ｌ字状を呈していて、後壁を共通の基部２７ａとして、基部２７ａの上部から前方に延びる水平板状の第１カバー部２７ｂ、基部２７ａの左右の各側部から下方かつ前方に延びる垂直板状の第２カバー部２７ｃおよび第３カバー部２７ｄ、第２カバー部２７ｃの前側下方部から所定幅で前方へ所定長さ延びる第４カバー部２７ｅを備えるとともに、第１カバー部２７ｂの上面側にて前後に延びる長方形の頭部２７ｆ、頭部２７ｆの一側隅部から斜め上方へ突出する把持片２７ｇ、第１カバー部２７ｂの上面の他側隅部から斜め上方へ突出する接触片部２７ｈを備えている。連結部材２７においては、この構成により、両側部にて下方に延びる第２カバー部２７ｃと第３カバー部２７ｄ間が前方へ開口する凹所２７ｉになっている。
【００２５】
当該連結部材２７においては、基部２７ａは、第１ドアパッキン２２の先端面と略同一の形状に形成されているもので、基部２７ａおよび第１ドアパッキン２２の先端面は傾斜状の接合面となっている。これにより、連結部材２７がその基部２７ａにて第１ドアパッキン２２の先端面に固着された状態では、連結部材２７は第１ドアパッキン２２の先端面から庫本体１０の上縁部の側面または下縁部の側面側へ傾斜して延びる構成となる。また、第２カバー部２７ｃは、庫本体１０の上縁部または下縁部の側面側に位置するもので、庫本体１０の上縁部または下縁部の側面に対向する部位にマグネット２８が埋設されている。マグネット２８は、開閉扉２０を閉鎖した場合には、連結部材２７を庫本体１０の開口部の上縁部または下縁部の側面に吸着すべく機能する。
【００２６】
連結部材２７は、その凹所２７ｉに第２ドアパッキン２３の先端部における脚部２３ｂおよび連結部２３ｃを嵌合固着させて第２ドアパッキン２３に連結し、第１ドアパッキン２２と第２ドアパッキン２３を、図６に示すように、その上下の先端部にて互いに連結させる。なお、第２ドアパッキン２３の先端部には、図８に示すように、キャップ２３ｅが筒状本体２３ａ内に挿入されていて、キャップ２３ｅは、第２ドアパッキン２３の先端部を先端側から覆蓋している。
【００２７】
当該連結部材２７においては、第２ドアパッキン２３の先端部に嵌合固着された状態においては、第４カバー部２７ｅは、第２ドアパッキン２３の先端部における庫本体１０の開口部１１，１２に露出する部位を、図６に示すように、開口部１１，１２側から覆蓋する。また、接触片部２７ｈは、第１カバー部２７ｂの隅部から庫本体１０の上縁部の側面または下縁部の側面側に傾斜して延びていて、開閉扉２０を閉鎖した際には、庫本体１０の開口部の上縁部の側面または下縁部の側面に密接する。
【００２８】
なお、開閉扉２０における支持部材２５の取付部位は、図３に示すように、インナパネル２１ａに設けた取付凹部２１ｄにて形成されていて、この取付凹部２１ｄには金属製の放熱板２４が固定されており、この放熱板２４を介して支持部材２５が取付けられている。支持部材２５は、その平板部２５ａの内面に断熱材片２５ｆを貼着された状態で、インナパネル２１ａの取付凹部２１ｄに嵌合されていて、その取付凹部２５ｃの底部表面を取付凹部２１ｄ内の放熱板２４の表面に当接させた状態でネジ２５ｅ止めされている。支持部材２５の取付凹部２５ｃには、その開口部に蓋体２５ｄが嵌合されていて、蓋体２５ｄは取付凹部２５ｃの開口部を閉塞している。
【００２９】
蓋体２５ｄは断面コ字状を呈するもので、その裏面に断熱材片２５ｆを貼着された状態で、支持部材２５の取付凹部２５ｃに液密的に嵌着されており、これにより、取付凹部２５ｃの開口部を閉塞しているとともに、同開口部を平板部２５ａと同一平面に形成している。これにより、ネジ２５ｅは、蓋体２５ｄと取付凹部２５ｃが形成する空間部に収容されて、外部へ露出するのを防止されている。
【００３０】
この空間部には、ヒータ２６ａを電源に接続するためのリード線２６ｂが配線されているとともに、支持部材２５と放熱板２４が形成する空間部には、ヒータ２６ａが配線されている。ヒータ２６ａは、放熱板２４に当接して配線されている。また、放熱板２４の先端部２４ａは、インナパネル２１ａの取付凹部２１ｄから側方へ突出していて、支持部材２５に支持したドアパッキン２３の筒状本体２３ａの前側に位置している。このリード線２６ｂの配線構造によれば、リード線２６ｂの金属製の放熱板２４を介する金属製のアウタパネル２１ｂへの接続が遮断されている。
【００３１】
このように構成した観音開き式冷蔵庫においては、上側の両開閉扉２０ａ，２０ｂを閉鎖した状態では、両開閉扉２０ａ，２０ｂの扉本体２１に設けた第１ドアパッキン２２が庫本体１０の上側の正面開口部１１の周縁部の側面に当接して密着するとともに、第２ドアパッキン２３同士が当接して密着する。これにより、上側の正面開口部１１が密閉されて、上側の収納室は気密的に閉鎖される。同様に、下側の両開閉扉２０ｃ，２０ｄを閉鎖した状態では、両開閉扉２０ｃ，２０ｄの扉本体２１に設けた第１ドアパッキン２２が庫本体１０の上側の正面開口部１２の周縁部の側面に当接して密着するとともに、第２ドアパッキン２３同士が当接して密着する。これにより、下側の正面開口部１２が密閉されて、下側の収納室は気密的に閉鎖される。
【００３２】
図５は、左側の開閉扉２０ａを閉鎖した状態で右側の開閉扉２０ｂを閉鎖する状態を模式的に示すもので、同図（ａ）は両開閉扉２０ａ，２０ｂが閉鎖した状態、同図（ｂ）は右側の開閉扉２０ｂが閉鎖直前の状態、同図（ｃ）は右側の開閉扉２０ｂがさらに閉鎖する前の状態を状態を示している。
【００３３】
図５（ａ）に示すように、両開閉扉２０ａ，２０ｂが閉鎖した状態においては、両開閉扉２０ａ，２０ｂに設けた各ドアパッキン２３は、支持部材２５のカバー部２５ｂ2と放熱板２４の先端部２４ａによりそれらの前側および後側から覆蓋されていて、ヒータ２６ａから放熱板２４を介して伝達される熱によって凍結および結露を防止されている。また、両開閉扉２０ａ，２０ｂの第２ドアパッキン２３は筒状本体２３ａの対向面にて互いに密着して、庫本体１０の正面開口部１１からの冷気の漏洩、外部の空気の侵入を防止している。
【００３４】
図５（ｃ）は、左側の開閉扉２０ａを閉鎖した後に、右側の開閉扉２０ｂを閉鎖しようとする場合で、開閉扉２０ｂが後方へ回動されて、開閉扉２０ｂに設けた第２ドアパッキン２３が同図（ｂ）に示すように開閉扉２０ａに設けた第２ドアパッキン２３に近接すると、両ドアパッキン２３は両マグネット２３ｄのＮ極−Ｎ極が対向して反発し合うが、同図（ａ）に示すように開閉扉２０ｂが完全に閉鎖された状態では、両マグネット２３ｄのＮ極−Ｓ極が引き合って密着し、庫本体１０は密閉される。
【００３５】
このように、当該観音開き式冷蔵庫においては、全ての開閉扉２０ａ〜２０ｄを閉鎖することにより、庫本体１０を密閉状態に確実に閉鎖することができるとともに、各第２ドアパッキン２３の凍結、結露を防止し、かつ、外部から庫本体１０内への外気の侵入、および庫本体１０内からの冷気の外部への漏洩を防止することができる。
【００３６】
しかして、当該観音開き式冷蔵庫においては、開閉扉２０の裏面側に備える第１ドアパッキン２２の上下の各先端部と第２ドアパッキン２３の上下の各先端部とを連結部材２７を介して互いに連結していて、連結部材２７には下記に示す各手段を備えている。
【００３７】
すなわち、当該連結部材２７においては、庫本体１０の開口部の上縁部の側面または下縁部の側面に対向する部位にマグネット２８をを備えているもので、開閉扉２０を閉鎖した際には、連結部材２７をマグネット２８の作用にて庫本体１０の開口部の上縁部の側面または下縁部の側面に密着させることができ、延いては、両ドアパッキン２２，２３を庫本体１０の開口部の上縁部の側面または下縁部の側面に密着させることができる。これにより、両ドアパッキン２２，２３の先端部と庫本体１０間での気密性を保持して、庫本体１０内からの内気の外部への漏洩、外気の庫本体内への侵入を防止することができる。
【００３８】
また、当該観音開き式貯蔵庫においては、連結部材２７は、第１ドアパッキンの先端面に同先端面に対して角度を付けて固着して、連結部材２７の先端側を庫本体１０の開口部の上縁部の側面または下縁部の側面に漸次指向させるようにしている。このため、開閉扉２０を閉鎖する際には、連結部材２７を、その先端側から庫本体１０の開口部の上縁部の側面または下縁部の側面に漸次当接させて密着させることができ、延いては、両ドアパッキン２２，２３を庫本体１０の開口部の上縁部の側面または下縁部の側面に密着させることができる。これにより、両ドアパッキン２２，２３の先端部と庫本体１０間での気密性を保持して、庫本体１０内からの内気の外部への漏洩、外気の庫本体１０内への侵入を防止することができる。
【００３９】
また、当該観音開き式貯蔵庫においては、連結部材２７に、庫本体１０の開口部の上縁部の側面または下縁部の側面に向かって傾斜して延びる接触片部２７ｈを設けている。このため、開閉扉２０を閉鎖した際には、連結部材２７を、その接触片部２７ｈを庫本体１０の開口部の上縁部の側面または下縁部の側面に当接させて密着させることができ、延いては、両ドアパッキン２２，２３を庫本体１０の開口部の上縁部の側面または下縁部の側面に密着させることができる。これにより、両ドアパッキン２２，２３の先端部と庫本体１０間での気密性を保持して、庫本体１０内からの内気の外部への漏洩、外気の庫本体１０内への侵入を防止することにある。
【００４０】
また、当該観音開き式貯蔵庫においては、連結部材２７に、その先端側に延びて第２ドアパッキン２３における庫本体１０側の側部の部位およびその上端面または下端面を覆蓋するカバー部２７ｅ，２７ｂを設けている。このため、第２ドアパッキン２３の先端部における庫本体１０の内側に露出する部位がカバー部２７ｅ，２７ｂによって覆蓋されて、当該露出部位での結露および氷結が防止される。これにより、両ドアパッキン２２，２３間での隙間の発生を防止して、庫本体１０内からの内気の外部への漏洩、外気の庫本体１０内への侵入を防止することができる。
【００４１】
当該観音開き式貯蔵庫においては、連結部材２７が有する上記各手段が相乗的に作用するもので、庫本体１０内からの内気の外部への漏洩、外気の庫本体１０内への侵入を確実に防止することができる。また、当該連結部材２７は、観音開き式冷蔵庫の両ドアパッキンの連結手段としてのみならず、同一形式である冷凍庫、温蔵庫等のドアパッキン同士の連結手段としても採用することができて、同様の作用効果を奏することができるものである。
【図面の簡単な説明】
【図１】本発明に係る観音開き式冷蔵庫の一例を示す正面図である。
【図２】同冷蔵庫を構成する左右の開閉扉の閉鎖状態を示す背面図である。
【図３】同冷蔵庫を構成する右側の開閉扉の一部切欠き部分平面図である。
【図４】同冷蔵庫を構成する左側の開閉扉に取付けられる第２ドアパッキンの横断面図である。
【図５】同冷蔵庫の左右の開閉扉を閉鎖する状態を示す模式的な説明図である。
【図６】同冷蔵庫における第１，第２ドアパッキンの連結部位を示す開閉扉の部分背面図である。
【図７】同冷蔵庫における第１，第２ドアパッキンの先端部を連結する連結部材の側面図（ａ）、正面図（ｂ）、平面図（ｃ）、および底面図（ｄ）である。
【図８】同冷蔵庫における第１，第２ドアパッキンの連結部位の連結前の状態を示す部分斜視図である。
【符号の説明】
１０…庫本体、１１，１２…正面開口部、２０（２０ａ，２０ｂ，２０ｃ，２０ｄ）…開閉扉、２１…扉本体、２１ａ…インナパネル、２１ｂ…アウタパネル、２１ｃ…断熱材、２１ｄ…取付凹部、２２…第１ドアパッキン、２３…第２ドアパッキン、２３ａ…筒状本体、２３ｂ…脚部、２３ｃ…連結部、２３ｄ…マグネット、２４…放熱板、２４ａ…先端部、２５…支持部材、２５ａ…平板部、２５ｂ…パッキン支持部、２５ｂ1…挿入溝、２５ｂ2…カバー部、２５ｃ…取付凹部、２５ｄ…蓋体、２５ｅ…ネジ、２５ｆ…断熱材片、２６ａ…ヒータ、２６ｂ…リード線、２７…連結部材、２７ａ…基部、２７ｂ，２７ｃ，２７ｄ，２７ｅ…カバー部、２７ｆ…頭部、２７ｇ…把持片、２７ｈ…接触片部、２７ｉ…凹所、２８…マグネット。
【図１】
0003906388.tif 000002
【図２】
0003906388.tif 000003
【図３】
0003906388.tif 000004
【図４】
0003906388.tif 000005
【図５】
0003906388.tif 000006
【図６】
0003906388.tif 000007
【図７】
0003906388.tif 000008
【図８】
0003906388.tif 000009